(57)【特許請求の範囲】
【請求項１】
ディスプレイを備える表示装置の制御方法であって、
蓄電システムに着脱可能に接続された複数の蓄電池であって、劣化度が異なる前記複数の蓄電池の、接続位置の入れ替えの期日を示す画像を前記ディスプレイに表示させるステップ（ａ）を備え、
前記複数の蓄電池の接続位置の入れ替えにより、前記複数の蓄電池が寿命を示す劣化度に同等のタイミングで到達するときの、前記複数の蓄電池の使用開始から当該タイミングまでの期間を第一期間とすると、前記入れ替えの期日は、前記第一期間の半分が経過する以前のタイミングに設定される、
表示装置の制御方法。
【請求項２】
さらに、前記第一期間の半分が経過する前のタイミングにおいて前記複数の蓄電池の接続位置が入れ替えられた後に、次の入れ替えの期日を示す画像をディスプレイに表示させるステップ（ｂ）を備え、
前記次の入れ替えの期日は、接続位置が入れ替えられた前記複数の蓄電池の劣化度が同等となる以前のタイミングに設定される、
請求項１記載の表示装置の制御方法。
【請求項３】
さらに、前記第一期間の半分が経過する前のタイミングにおいて前記複数の蓄電池の接続位置が入れ替えられた後に、次の入れ替えの期日を示す画像をディスプレイに表示させるステップ（ｂ）を備え、
前記次の入れ替えの期日は、接続位置が入れ替えられた前記複数の蓄電池の劣化度が同等となるタイミングから前記第一期間の終了タイミングまでの期間である第二期間の半分が経過する以前のタイミングに設定される、
請求項１記載の表示装置の制御方法。
【請求項４】
さらに、前記複数の蓄電池の接続位置の入れ替えが完了したことを示す情報を受け付けるステップ（ｃ）を備え、
前記ステップ（ｂ）は、前記ステップ（ｃ）の後に実行される、
請求項２または３記載の表示装置の制御方法。
【請求項５】
前記入れ替えの期日は、前記複数の蓄電池間における劣化度の差が大きいほど早いタイミングに設定される、
請求項１〜４のいずれか１項に記載の表示装置の制御方法。
【請求項６】
さらに、前記蓄電システム内の前記複数の蓄電池の配置と、前記複数の蓄電池それぞれの劣化度を示す情報とを表示するステップ（ｄ）を備える、
請求項１〜５のいずれか１項に記載の表示装置の制御方法。
【請求項７】
蓄電システムに着脱可能に接続された複数の蓄電池であって、劣化度が異なる前記複数の蓄電池の、接続位置の入れ替えの期日を保持する記憶器と、
ディスプレイと、
前記記憶器に保持された前記入れ替えの期日を示す画像を前記ディスプレイに表示させる制御器とを備え、
前記複数の蓄電池の接続位置の入れ替えにより、前記複数の蓄電池が寿命を示す劣化度に同等のタイミングで到達するときの、前記複数の蓄電池の使用開始から当該タイミングまでの期間を第一期間とすると、前記入れ替えの期日は、前記第一期間の半分が経過する以前のタイミングに設定される、
表示システム。
【発明の詳細な説明】
【技術分野】
【０００１】
本開示は、表示装置の制御方法、及び、表示システムに関する。
【背景技術】
【０００２】
従来、複数の蓄電池が使用された電源システムが知られている。例えば、特許文献１には、電池モジュールを複数台、交換可能に接続した電源システムが開示されている。
【先行技術文献】
【特許文献】
【０００３】
【特許文献１】特開２０１４−０１１０６０号公報
【発明の概要】
【発明が解決しようとする課題】
【０００４】
上記のような電源システムでは、複数の電池モジュールがそれぞれ異なる位置に配置される。つまり、一の電池モジュールは、他の電池モジュールと温度等の条件が異なる位置に配置される。このため、複数の電池モジュールの寿命がばらつくことが課題である。
【０００５】
そこで、本開示は、複数の蓄電池を備える蓄電システムにおいて、複数の蓄電池の寿命のばらつきを抑制することができる表示装置の制御方法を提供する。
【課題を解決するための手段】
【０００６】
本開示の一態様に係る表示装置の制御方法は、ディスプレイを備える表示装置の制御方法であって、蓄電システムに着脱可能に接続された複数の蓄電池であって、劣化度が異なる前記複数の蓄電池の、接続位置の入れ替えの期日を示す画像を前記ディスプレイに表示させるステップ（ａ）を備え、前記複数の蓄電池の接続位置の入れ替えにより、前記複数の蓄電池が寿命を示す劣化度に同等のタイミングで到達するときの、前記複数の蓄電池の使用開始から当該タイミングまでの期間を第一期間とすると、前記入れ替えの期日は、前記第一期間の半分が経過する以前のタイミングに設定される。
【０００７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００８】
本開示の一態様に係る表示装置の制御方法は、複数の蓄電池を備える蓄電システムにおいて、複数の蓄電池の寿命のばらつきを抑制することができる。
【図面の簡単な説明】
【０００９】
【図１】図１は、実施の形態に係る蓄電システムの構成を示す概略図である。
【図２】図２は、扉が閉じられた状態の蓄電システムの模式外観図である。
【図３】図３は、複数の蓄電池モジュールの配置を示す図である。
【図４】図４は、実施の形態に係る蓄電システムの機能構成を示すブロック図である。
【図５】図５は、実施の形態に係る蓄電池モジュールの模式外観図である。
【図６】図６は、実施の形態に係る蓄電池モジュールの機能構成を示すブロック図である。
【図７】図７は、複数の蓄電池モジュールの接続位置を入れ替えることにより得られる効果を説明するための図である。
【図８】図８は、接続位置の入れ替えの例を示す図である。
【図９】図９は、接続位置の入れ替えの別の例を示す図である。
【図１０】図１０は、実施の形態に係る蓄電システムの動作のフローチャートである。
【図１１】図１１は、入れ替えの期日を示す画像の第一の例を示す図である。
【図１２】図１２は、入れ替えの期日を示す画像の第二の例を示す図である。
【図１３】図１３は、接続位置の入れ替えが完了したことを示す画像の例を示す図である。
【図１４】図１４は、複数の蓄電池モジュールの配置と、複数の蓄電池モジュールそれぞれの劣化度を示す情報とを含む画像の第一の例を示す図である。
【図１５】図１５は、複数の蓄電池モジュールの配置と、複数の蓄電池モジュールそれぞれの劣化度を示す情報とを含む画像の第二の例を示す図である。
【発明を実施するための形態】
【００１０】
本開示の一態様に係る表示装置の制御方法は、ディスプレイを備える表示装置の制御方法であって、蓄電システムに着脱可能に接続された複数の蓄電池であって、劣化度が異なる前記複数の蓄電池の、接続位置の入れ替えの期日を示す画像を前記ディスプレイに表示させるステップ（ａ）を備え、前記複数の蓄電池の接続位置の入れ替えにより、前記複数の蓄電池が寿命を示す劣化度に同等のタイミングで到達するときの、前記複数の蓄電池の使用開始から当該タイミングまでの期間を第一期間とすると、前記入れ替えの期日は、前記第一期間の半分が経過する以前のタイミングに設定される。
【００１１】
また、表示装置の制御方法は、さらに、前記第一期間の半分が経過する前のタイミングにおいて前記複数の蓄電池の接続位置が入れ替えられた後に、次の入れ替えの期日を示す画像をディスプレイに表示させるステップ（ｂ）を備え、前記次の入れ替えの期日は、接続位置が入れ替えられた前記複数の蓄電池の劣化度が同等となる以前のタイミングに設定されてもよい。
【００１２】
また、表示装置の制御方法は、さらに、前記第一期間の半分が経過する前のタイミングにおいて前記複数の蓄電池の接続位置が入れ替えられた後に、次の入れ替えの期日を示す画像をディスプレイに表示させるステップ（ｂ）を備え、前記次の入れ替えの期日は、接続位置が入れ替えられた前記複数の蓄電池の劣化度が同等となるタイミングから前記第一期間の終了タイミングまでの期間である第二期間の半分が経過する以前のタイミングに設定されてもよい。
【００１３】
また、表示装置の制御方法は、さらに、前記複数の蓄電池の接続位置の入れ替えが完了したことを示す情報を受け付けるステップ（ｃ）を備え、前記ステップ（ｂ）は、前記ステップ（ｃ）の後に実行されてもよい。
【００１４】
また、前記入れ替えの期日は、前記複数の蓄電池間における劣化度の差が大きいほど早いタイミングに設定されてもよい。
【００１５】
また、表示装置の制御方法は、さらに、前記蓄電システム内の前記複数の蓄電池の配置と、前記複数の蓄電池それぞれの劣化度を示す情報とを表示するステップ（ｄ）を備えてもよい。
【００１６】
本開示の一態様に係る表示システムは、蓄電システムに着脱可能に接続された複数の蓄電池であって、劣化度が異なる前記複数の蓄電池の、接続位置の入れ替えの期日を保持する記憶器と、ディスプレイと、前記記憶器に保持された前記入れ替えの期日を示す画像を前記ディスプレイに表示させる制御器とを備え、前記複数の蓄電池の接続位置の入れ替えにより、前記複数の蓄電池が寿命を示す劣化度に同等のタイミングで到達するときの、前記複数の蓄電池の使用開始から当該タイミングまでの期間を第一期間とすると、前記入れ替えの期日は、前記第一期間の半分が経過する以前のタイミングに設定される。
【００１７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００１８】
以下、本開示の一態様に係る表示装置の制御方法及び表示システムについて、図面を参照しながら具体的に説明する。
【００１９】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００２０】
なお、各図は模式図であり、必ずしも厳密に図示されたものではない。また、各図において、実質的に同一の構成に対しては同一の符号を付し、重複する説明は省略または簡略化されることがある。
【００２１】
（実施の形態）
［全体構成］
まず、図１を用いて、本開示の実施の形態における表示システムの概要について説明する。図１は、実施の形態に係る表示システムの構成を示す概略図である。
【００２２】
図１に示されるように、表示システム１００は、複数の蓄電池モジュール２０を備える蓄電システム１０と、通信装置３０と、サーバ装置４０と、携帯端末５０とを備える。
【００２３】
蓄電システム１０は、外装体本体１２と扉１３とからなる外装体１１の内部の空間に複数の蓄電池モジュール２０を収容する据え置き型の電源装置である。蓄電システム１０は、具体的には、収容された複数の蓄電池モジュール２０を用いて電源装置として機能する。
【００２４】
蓄電システム１０は、例えば、複数の蓄電池モジュール２０を放電させることにより、図示されない負荷に電力を供給する。また、蓄電システム１０は、電力系統６０から供給される電力によって複数の蓄電池モジュール２０を充電する。蓄電システム１０が備える蓄電池モジュール２０の数は、特に限定されない。蓄電システム１０は、少なくとも２つの蓄電池モジュール２０を備えればよい。
【００２５】
さらに、蓄電システム１０は、複数の蓄電池モジュール２０から取得した情報を通信装置３０に送信することもできる。ここで、蓄電池モジュール２０から取得される情報は、例えば、蓄電池モジュール２０の温度及び劣化度などである。
【００２６】
なお、図１に示される蓄電システム１０は、蓄電システム１０の内部に収容された蓄電池モジュール２０を図示するために、扉１３が開いた状態の蓄電システム１０が図示されているが、蓄電システム１０は、通常、扉１３が閉じられた状態で使用される。図２は、扉１３が閉じられた状態の蓄電システム１０の模式外観図である。
【００２７】
通信装置３０は、インターネット７０を介してサーバ装置４０に接続されている。通信装置３０は、より詳細には、有線通信によってインターネット７０に接続し、サーバ装置４０と通信する。なお、通信装置３０は、無線通信によってインターネット７０に接続し、サーバ装置４０と通信してもよい。通信装置３０は、蓄電システム１０がインターネット７０を介してサーバ装置４０と通信するためのゲートウェイである。
【００２８】
サーバ装置４０は、蓄電システム１０から情報を受信し、受信した情報を管理する。サーバ装置４０は、例えば、プロセッサと、プログラムを記憶しているメモリと、データを記憶するハードディスクドライブなどの記憶装置と、表示器４１とにより実現される。
【００２９】
なお、サーバ装置４０は、１台の装置から構成されるものだけでなく、複数台の装置から構成されてもよい。また、サーバ装置４０は、インターネット７０などのネットワークを通じてソフトウェア、データなどを提供するクラウドコンピューティングを実現する装置の少なくとも一部であってもよい。
【００３０】
携帯端末５０は、例えば、スマートフォン及びタブレット端末などの情報通信端末である。携帯端末５０は、表示器５１を備え、サーバ装置４０から当該サーバ装置４０が管理している蓄電池モジュール２０の情報を取得し、取得した情報を表示器５１に表示することができる。
【００３１】
以上説明したような表示システム１００に含まれる蓄電システム１０は、外装体１１の内部に複数の蓄電池モジュール２０を備える。ここで、以下の説明では、複数の蓄電池モジュール２０の配置を図３のように定義する。図３は、複数の蓄電池モジュール２０の配置を示す図である。
【００３２】
図３に示されるように、複数の蓄電池モジュール２０は、ユーザが扉１３をあけて視認すると、マトリクス状に配置されている。
【００３３】
ここで、マトリクスにおける行には、数字の１〜４が上から順に割り当てられ、マトリクスにおける列には、アルファベットのＡ〜Ｃが割り当てられる。そして、例えば、図３に示される一番上の収納場所は、列がＡであって、行が１である収納場所であるから、収納場所Ａ１のように記載される。また、最初に収納場所Ａ１に収納された蓄電池モジュール２０についても、蓄電池モジュールＡ１のように記載される。
【００３４】
ここで、蓄電システム１０においては、収納場所が異なることに起因して、複数の蓄電池モジュール２０の劣化度に差が出てしまう。例えば、電源器１４は、後述するように発熱部品を多く含む放電回路及び充電回路などからなるため、電源器１４の近くの収納場所は温度が高くなる。また、蓄電システム１０が暖房装置の近くに設置されるようなときには、暖房により複数の収納場所に温度差が生じる。
【００３５】
一般に、蓄電池モジュール２０は、温度が高い場所で使用されるほど劣化が早くなる傾向がある。したがって、複数の収納場所に温度差がある状態で、複数の蓄電池モジュール２０の充放電が繰り返されると、温度の高い収納場所に収納された蓄電池モジュール２０ほど劣化が早くなる。このため、時間が経つと複数の蓄電池モジュール２０の劣化度に差が出てしまう。
【００３６】
これに対し、蓄電システム１０の第一制御器１８は、収納場所の変更を促す画像を適切なタイミングで第一表示器１６に表示させる。これにより、複数の蓄電池モジュール２０の収納場所の入れ替えが行われれば、複数の蓄電池モジュール２０の劣化度のばらつきを抑制することができる。
【００３７】
ここで、劣化度について補足する。蓄電池モジュール２０は、一般的に、充放電を繰り返すと、満充電容量が低下していく。この満充電容量が劣化度である。劣化度は、一般的には、ＳＯＨ（Ｓｔａｔｅ  Ｏｆ  Ｈｅａｌｔｈ）とも呼ばれ、未使用状態の満充電容量に対する現在の満充電容量のパーセンテージで表される。ＳＯＨは、蓄電池モジュール２０の内部抵抗値と強い相関関係がある。このため、以下の実施の形態で説明される処理においては、劣化度として蓄電池モジュール２０の内部抵抗値が用いられるが、ＳＯＨが用いられてもよいし、処理の途中で内部抵抗値がＳＯＨに換算されてもよい。なお、内部抵抗値が高いほど、ＳＯＨは低くなり、内部抵抗値が高いことは、蓄電池モジュール２０が劣化していることを示す。
【００３８】
［蓄電システム］
次に、蓄電システム１０の詳細な構成について説明する。図４は、蓄電システム１０の機能構成を示すブロック図である。
【００３９】
図４に示されるように、蓄電システム１０は、電源器１４と、複数の第一端子部１５と第一表示器１６と、通信器１７と、第一制御器１８と、第一記憶器１９とを備える。
【００４０】
電源器１４は、複数の第一端子部１５に電気的及び機械的に接続された複数の蓄電池モジュール２０が放電する電力を負荷に応じた電力に変換し、変換後の電力を負荷に供給する放電回路を含む。電源器１４は、具体的には、例えば、複数の蓄電池モジュール２０が放電する直流電力を、負荷に応じた適切な直流電力、または、負荷に応じた適切な交流電力に変換する。
【００４１】
また、電源器１４は、電力系統６０などの外部電源から供給される電力を用いて、複数の第一端子部１５に接続されている複数の蓄電池モジュール２０を充電する充電回路を含む。電源器１４は、具体的には、電力系統６０から供給される交流電力を、蓄電池モジュール２０の充電に適した直流電力に変換する。
【００４２】
以上説明したような電源器１４は、例えば、ＡＣ／ＤＣコンバータ、ＤＣ／ＡＣインバータ、及び、ＤＣ／ＤＣコンバータなどにより実現される。
【００４３】
第一端子部１５は、蓄電池モジュール２０に着脱可能に接続され、蓄電池モジュール２０との間で電力の送受電と、情報の通信とを行なうためのインタフェースである。図３では図示されないが、第一端子部１５は、送受電用の端子である第一電力用端子１５ａと、通信用の端子である第一通信用端子１５ｂとを有する。
【００４４】
また、複数の第一端子部１５は、リード線などのケーブルによって電気的に接続される。複数の第一端子部１５は、図４に示されるように、同じ列に配置された複数の蓄電池モジュール２０を直列接続し、直列接続された複数の蓄電池モジュール２０を並列に接続する。具体的には、蓄電池モジュールＡ１〜Ａ４は、直列接続され、蓄電池モジュールＢ１〜Ｂ４は直列接続され、蓄電池モジュールＣ１〜Ｃ４は、直列接続される。そして、直列接続された蓄電池モジュールＡ１〜Ａ４と、直列接続された蓄電池モジュールＢ１〜Ｂ４と、直列接続された蓄電池モジュールＣ１〜Ｃ４とは並列に接続される。
【００４５】
第一表示器１６は、ディスプレイの一例であって、第一記憶器１９に保持された複数の蓄電池モジュール２０の入れ替えの期日を表示した画像を第一制御器１８の制御に基づいて表示する。第一表示器１６は、具体的には、液晶パネルまたは有機ＥＬパネルなどの表示パネルと、表示パネルに画像を表示するための周辺回路などからなる。
【００４６】
なお、実施の形態では、第一表示器１６が備える表示パネルには、タッチパネルが重ねられており、第一表示器１６は、ユーザの入力を受け付けるユーザインターフェースとしても機能する。
【００４７】
通信器１７は、第一制御器１８が第一端子部１５を介して取得した蓄電池モジュール２０に関する情報を、第一制御器１８の制御に基づいて通信装置３０に送信する。また、通信器１７は、通信装置３０から情報を受信する。通信器１７は、具体的には、通信回路である。なお、通信器１７と通信装置３０との間で行われる通信は、無線通信であってもよいし、有線通信であってもよい。通信器１７と通信装置３０との間で無線通信が行われるときには、当該無線通信の通信規格としては、例えば、Ｗｉ−Ｆｉ（登録商標）、Ｂｌｕｅｔｏｏｔｈ（登録商標）、ＺｉｇＢｅｅ（登録商標）などが例示されるが、特に限定されない。通信器１７と通信装置３０との間で有線通信が行われるときには、有線ＬＡＮ（Ｌｏｃａｌ  Ａｒｅａ  Ｎｅｔｗｏｒｋ）を用いた通信などが例示される。
【００４８】
第一制御器１８は、蓄電システム１０における各種制御を行う。例えば、第一制御器１８は、電源器１４を制御することにより、複数の蓄電池モジュール２０の充電及び放電を行う。また、第一制御器１８は、通信器１７に情報を送信させる。
【００４９】
また、第一制御器１８は、複数の蓄電池モジュール２０の、接続位置の入れ替えの期日を決定し、決定した入れ替えの期日を第一記憶器１９に保持させる。つまり、第一制御器１８は、接続位置の入れ替えの期日を第一記憶器１９に記憶する。そして、第一制御器１８は、第一記憶器１９に保持された入れ替えの期日を示す画像を生成し、第一表示器１６に表示させる。
【００５０】
第一制御器１８は、具体的には、プロセッサ、マイクロコンピュータ、または専用回路などにより実現されるが、制御機能を備えるものであればよい。第一制御器１８は、例えば、演算処理器（図示せず）と、制御プログラムを記憶する記憶器（図示せず）とを備えてもよい。演算処理器としては、ＭＰＵ及びＣＰＵが例示される。記憶器としては、メモリが例示される。第一制御器１８は、集中制御を行う単独の制御器で構成されていてもよく、互いに協働して分散制御を行う複数の第一制御器１８で構成されていてもよい。
【００５１】
第一記憶器１９は、第一制御器１８によって決定された入れ替えの期日を保持する。第一記憶器１９は、具体的には、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）などの半導体メモリであるが、第一制御器１８に記憶器が含まれるときには、当該記憶器として実現されてもよい。
【００５２】
［蓄電池モジュール］
次に、蓄電池モジュール２０の詳細な構成について説明する。図５は、蓄電池モジュール２０の模式外観図である。図６は、蓄電池モジュールの機能構成を示すブロック図である。
【００５３】
図５及び図６に示されるように、蓄電池モジュール２０は、蓄電池の一例であって、複数の単電池２１ａからなる電池ブロック２１と、第二制御器２２と、第二記憶器２３と、保護回路２４と、第二端子部２５と、第二表示器２６と、操作器２７と、温度センサ２８とを備える。
【００５４】
電池ブロック２１は、複数の単電池２１ａが並列及び直列に接続されることで構成されている。単電池２１ａは、例えば、リチウムイオン二次電池などの充電及び放電が可能な単電池である。図６の例では、４つの単電池２１ａが並列に接続され、かつ、並列接続された４つの単電池２１ａが４組直列に接続されている。
【００５５】
第二制御器２２は、第一制御器１８から第一通信用端子１５ｂ及び第二通信用端子２５ｂを介して受信した指示に基づいて、電池ブロック２１の充電及び放電を行う。放電時には、第一電力用端子１５ａ及び第二電力用端子２５ａを介して電池ブロック２１から蓄電システム１０に電力が出力される。充電時には、第一電力用端子１５ａ及び第二電力用端子２５ａを介して蓄電システム１０から電池ブロック２１に電力が入力される。
【００５６】
また、第二制御器２２は、電池ブロック２１の状態に関する情報（以下、「状態情報」という。）を取得する。具体的には、第二制御器２２は、電池ブロック２１の状態情報として、電池ブロック２１の、電圧値、電流値、ＳＯＣ（Ｓｔａｔｅ  Ｏｆ  Ｃｈａｒｇｅ）、充放電サイクル数、及び、内部抵抗値などを取得する。第二制御器２２は、取得した状態情報を第二記憶器２３に記憶する。
【００５７】
また、第二制御器２２は、電池ブロック２１の状態情報を第二記憶器２３から読み出し、読み出した状態情報を第一通信用端子１５ｂ及び第二通信用端子２５ｂを介して第一制御器１８に送信する。また、第二制御器２２は、電池ブロック２１の電圧値または電流値を取得するときには、当該電圧値または電流値を計測するセンサを有してもよい。
【００５８】
第二制御器２２は、具体的には、プロセッサ、マイクロコンピュータ、または専用回路などにより実現されるが、制御機能を備えるものであればよい。第二制御器２２は、例えば、演算処理器（図示せず）と、制御プログラムを記憶する記憶器（図示せず）とを備えてもよい。演算処理器としては、ＭＰＵ、ＣＰＵが例示される。記憶器としては、メモリが例示される。第二制御器２２は、集中制御を行う単独の制御器で構成されていてもよく、互いに協働して分散制御を行う複数の第二制御器２２で構成されていてもよい。
【００５９】
第二記憶器２３は、第二制御器２２により取得された電池ブロック２１の状態情報を保持する。第二記憶器２３は、具体的には、ＥＥＰＲＯＭなどの半導体メモリであるが、第二制御器２２に記憶器が含まれるときには、当該記憶器として実現されてもよい。
【００６０】
保護回路２４は、電池ブロック２１の異常を検知し、異常が検知されたときに電池ブロック２１の充電及び放電を停止させる保護回路である。保護回路２４は、例えば、温度センサ２８から得られる温度が所定の温度以上であるときに、電池ブロック２１が異常であると検知し、電池ブロック２１の充電及び放電を停止させる。
【００６１】
第二端子部２５は、蓄電システム１０の第一端子部１５と電気的及び機械的に接続される。第二端子部２５は、送受電用の第二電力用端子２５ａと、通信用の第二通信用端子２５ｂとを備える。第二電力用端子２５ａは、第一端子部１５の第一電力用端子１５ａと電気的及び機械的に接続され、第二通信用端子２５ｂは、第一端子部１５の第一通信用端子１５ｂと電気的及び機械的に接続される。
【００６２】
第二表示器２６は、ディスプレイの一例であって、電池ブロック２１のＳＯＣなど、第二記憶器２３に記憶された電池ブロック２１の状態情報を第二制御器２２の制御に基づいて表示する。第二表示器２６は、具体的には、液晶パネルまたは有機ＥＬパネルなどの表示パネルと、表示パネルに画像を表示するための周辺回路などからなる。
【００６３】
操作器２７は、押しボタンである。操作器２７は、蓄電池モジュール２０の接続位置の入れ替えが完了したときに、ユーザによって押下される。操作器２７が押下されると、複数の蓄電池モジュール２０の接続位置の入れ替えが完了したことを示す情報（以下、「完了情報」という。）が第二制御器２２によって送信され、第一制御器１８は、完了情報を受け付ける。なお、操作器２７のような構成要素は、蓄電システム１０が備えてもよい。つまり、ユーザは、蓄電池モジュール２０の接続位置の入れ替えが完了したときに蓄電システム１０に設けられたボタン等を押下してもよい。
【００６４】
温度センサ２８は、サーミスタまたは熱電対などからなる、温度を測定するセンサである。温度センサ２８が測定した温度は、状態情報として第二記憶器２３によって保持される。第二記憶器２３は、例えば、複数の温度センサ２８によって測定された温度の平均を電池ブロック２１の温度として保持する。
【００６５】
［接続位置の入れ替え］
ここで、複数の蓄電池モジュール２０の接続位置を入れ替えることにより得られる効果について説明する。図７は、複数の蓄電池モジュール２０の接続位置を入れ替えることにより得られる効果を説明するための図である。図７では、蓄電池モジュールＡ１と、蓄電池モジュールＡ４の接続位置を入れ替える例について説明され、図７の縦軸は劣化度（ＳＯＨ）を示し、横軸は時間を示す。なお、上述したようにＳＯＨと内部抵抗値とは相関があり、ＳＯＨに代えて内部抵抗値を縦軸にプロットすると、経時的に内部抵抗値が増加していくグラフが得られる。
【００６６】
蓄電池モジュールＡ１及び蓄電池モジュールＡ４はいずれも、使用開始時には新品であり、劣化度が等しいとする。また、蓄電池モジュールＡ１及び蓄電池モジュールＡ４はいずれも、劣化度が寿命を示す値（以下、「寿命値」という）に到達したときに使用不可能と判断される。
【００６７】
図７の例では、蓄電池モジュールＡ１のほうが、蓄電池モジュールＡ４よりも温度の高い位置に接続されており、劣化度の経時変化が大きい。つまり、蓄電池モジュールＡ１のほうが、蓄電池モジュールＡ４よりも劣化速度が速く、図７中の劣化度の傾きが大きい。
【００６８】
したがって、接続位置の入れ替えが行われないと、蓄電池モジュールＡ１が使用開始から期間Ｔａ１の経過後に使用不可能となり、かつ、蓄電池モジュールＡ４は、期間Ｔａ１よりも長い期間Ｔａ４の経過後に使用不可能となる。
【００６９】
上述のように蓄電池モジュールＡ１〜Ａ４が直列接続されているときには、１つの蓄電池モジュールＡ１が使用不可能な状態になると、他の蓄電池モジュールＡ２〜Ａ３が使用可能な状態であっても、電源として使用できない。よって、直列接続された蓄電池モジュールＡ１〜Ａ４をメンテナンス無しで長期間使用するためには、劣化速度の速い蓄電池モジュールＡ１の寿命を向上させることが有効である。
【００７０】
ここで、蓄電池モジュールＡ１及びＡ４の使用開始後に接続位置の入れ替えが行われれば、蓄電池モジュールＡ１の劣化速度は、入れ替え前の蓄電池モジュールＡ４の劣化速度と同等になる。したがって、蓄電池モジュールＡ１の寿命が向上される。図７の例では、蓄電池モジュールＡ１は、期間Ｔａ１よりも長い第一期間Ｔ１の経過後に使用不可能となる。
【００７１】
一方で、蓄電池モジュールＡ４の劣化速度は、入れ替え前の蓄電池モジュールＡ１の劣化速度と同等になる。したがって、蓄電池モジュールＡ４の寿命は低下し、蓄電池モジュールＡ４は、例えば、期間Ｔａ４よりも短い第一期間Ｔ１の経過後に使用不可能となる。
【００７２】
このように、蓄電池モジュールＡ１及び蓄電池モジュールＡ４の接続位置が入れ替えられれば、蓄電池モジュールＡ１及び蓄電池モジュールＡ４の寿命のばらつきを抑制することができる。
【００７３】
なお、接続位置の入れ替えとは、当初収納場所Ａ１に収納されていた蓄電池モジュールＡ１を収納場所Ａ４に収納し、かつ、当初収納場所Ａ４に収納されていた蓄電池モジュールＡ４を収納場所Ａ１に収納することを意味する。
【００７４】
図７では、蓄電池モジュールＡ１及び蓄電池モジュールＡ４の接続位置の１回の入れ替えにより、蓄電池モジュールＡ１及び蓄電池モジュールＡ４が同等のタイミング、つまり、第一期間Ｔ１の経過時に寿命値に到達する理想的な例が示されている。このような第一期間Ｔ１は、蓄電池モジュールＡ１の当初の劣化速度により定められる期間Ｔａ１と、蓄電池モジュールＡ４の当初の劣化速度により定められる期間Ｔａ４とを用いて、以下の式１で表される。
Ｔ１＝２×Ｔａ１×Ｔａ４／（Ｔａ１＋Ｔａ４）・・（式１）
【００７５】
ここで、蓄電池モジュールＡ１及び蓄電池モジュールＡ４を同等のタイミングで寿命値に到達させるためには、蓄電池モジュールＡ１及び蓄電池モジュールＡ４の使用開始から第一期間Ｔ１のちょうど半分が経過したタイミングで蓄電池モジュールＡ１及び蓄電池モジュールＡ４の接続位置の入れ替えが行われるとよい。しかしながら、蓄電池モジュールＡ１及び蓄電池モジュールＡ４の使用開始から第一期間Ｔ１の半分が経過する前のタイミングで蓄電池モジュールＡ１及び蓄電池モジュールＡ４の接続位置の入れ替えが行われてもよい。図８は、このような接続位置の入れ替えの例を示す図である。
【００７６】
図８では、使用開始から第一期間Ｔ１の半分が経過する以前のタイミングｔ１で蓄電池モジュールＡ１及び蓄電池モジュールＡ４の接続位置の最初の入れ替えが行われる。このままでは、蓄電池モジュールＡ１及び蓄電池モジュールＡ４を同等のタイミングで寿命値に到達させることはできない。しかしながら、接続位置の入れ替えが２回以上行われることで、蓄電池モジュールＡ１及び蓄電池モジュールＡ４を同等のタイミングで寿命値に到達させることができる。
【００７７】
図８では、タイミングｔ２において２回目の接続位置の入れ替えが行われることにより、蓄電池モジュールＡ１及び蓄電池モジュールＡ４を同等のタイミングで寿命値に到達させることができる。
【００７８】
なお、２回目の接続位置の入れ替えによれば、１回目の入れ替えで収納場所Ａ１に収納されていた蓄電池モジュールＡ４が再び収納場所Ａ４に収納され、１回目の入れ替えで収納場所Ａ４に収納されていた蓄電池モジュールＡ１が再び収納場所Ａ１に収納される。
【００７９】
２回目の接続位置の入れ替えが行われるタイミングは、タイミングｔ２であることが好ましいが、別のタイミングであってもよい。２回目の接続位置の入れ替えが行われるタイミングは、例えば、図８に示される第二期間Ｔ２の半分が経過する以前のタイミングであってもよい。第二期間Ｔ２は、接続位置が入れ替えられた蓄電池モジュールＡ１及び蓄電池モジュールＡ４の劣化度が同等となるタイミングｔ３から第一期間Ｔ１の終了タイミングｔ４までの期間である。言い換えれば、２回目の接続位置の入れ替えが行われるタイミングは、図８に示されるタイミングｔ１からタイミングｔ２までの期間である第三期間Ｔ３内のどこかであってもよい。
【００８０】
また、２回目の接続位置の入れ替えが行われるタイミングは、蓄電池モジュールＡ１及び蓄電池モジュールＡ４の劣化度が同等となるタイミングｔ３以前のタイミングであってもよい。つまり、２回目の接続位置の入れ替えが行われるタイミングは、図８の第四期間Ｔ４内のどこかであってもよい。
【００８１】
なお、接続位置の入れ替えを行っても、蓄電池モジュールＡ１及び蓄電池モジュールＡ４を同等のタイミングで寿命値に到達させることはできないことがある。図９は、このような接続位置の入れ替えのさらに別の例を示す図である。
【００８２】
図９では、蓄電池モジュールＡ１及び蓄電池モジュールＡ４の使用開始から第一期間Ｔ１の半分が経過した後のタイミングｔ５で蓄電池モジュールＡ１及び蓄電池モジュールＡ４の１回目の接続位置の入れ替えが行われる。そうすると、蓄電池モジュールＡ１及び蓄電池モジュールＡ４を同等のタイミングで寿命値に到達させることはできない。
【００８３】
したがって、蓄電池モジュールＡ１及び蓄電池モジュールＡ４の接続位置の１回目の入れ替えは、蓄電池モジュールＡ１及び蓄電池モジュールＡ４の使用開始から第一期間Ｔ１の半分が経過する以前のタイミングで行われるとよい。これにより、蓄電池モジュールＡ１及び蓄電池モジュールＡ４を同等のタイミングで寿命値に到達させる可能性を残すことができる。
【００８４】
以上、複数の蓄電池モジュール２０の接続位置を入れ替えることにより得られる効果について説明した。なお、並列接続された複数の蓄電池モジュール２０においても接続位置の入れ替えは有用である。並列接続された複数の蓄電池モジュール２０は、直列接続された複数の蓄電池モジュール２０と異なり、このうちの１つの蓄電池モジュール２０が寿命値に到達したとしても電源として使用可能である。しかしながら、複数の蓄電池モジュール２０が近い時期に寿命値に到達することで、１度にまとめて新品の蓄電池モジュール２０に交換することができる。つまり、メンテナンスの頻度を低減することができる。
【００８５】
［動作］
次に、上記のような接続位置の入れ替えをユーザに促すための蓄電システム１０の動作について、図１０のフローチャートを用いて説明する。図１０は、蓄電システム１０の動作のフローチャートである。
【００８６】
まず、第一制御器１８は、複数の蓄電池モジュール２０の劣化度を取得する（Ｓ１１）。第一制御器１８は、例えば、蓄電池モジュールＡ１の劣化度を当該蓄電池モジュールＡ１から取得し、蓄電池モジュールＡ４の劣化度を当該蓄電池モジュールＡ４から取得する。劣化度の取得は、例えば、蓄電システム１０の使用開始後、所定期間ごとに行われる。
【００８７】
実施の形態では、第一制御器１８は、劣化度として、蓄電池モジュール２０の内部抵抗値を取得する。内部抵抗値は、抵抗値が大きいほど劣化していることを示す。
【００８８】
内部抵抗値は、蓄電池モジュール２０の充電時または放電時における電圧と電流との関係から算出される。つまり、蓄電池モジュール２０の第二制御器２２は、当該蓄電池モジュール２０が充電または放電される際に、内部抵抗値を算出することができる。第二制御器２２は、内部抵抗値を定期的に算出し、算出した内部抵抗値を第二記憶器２３に記憶しておく。第一制御器１８が内部抵抗値の取得要求を第二制御器２２に送信すると、第二制御器２２は、第二記憶器２３から内部抵抗値を読み出して第一制御器１８に送信する。これにより、第一制御器１８は、蓄電池モジュール２０の内部抵抗値を劣化度として取得することができる。
【００８９】
次に、第一制御器１８は、一の蓄電池モジュール２０の劣化度と、他の蓄電池モジュール２０の劣化度とに所定値以上の差があるかどうかを判定する（Ｓ１２）。第一制御器１８は、具体的には、例えば、蓄電池モジュールＡ１の劣化度と、蓄電池モジュールＡ４の劣化度とに所定値以上の差があるかどうかを判定する（Ｓ１２）。所定値は、未使用時の蓄電池モジュール２０の内部抵抗値に基づき、実験的または経験的に定められればよい。
【００９０】
第一制御器１８は、劣化度に所定値以上の差がないと判定すると（Ｓ１２でＮｏ）、処理を終了する。また、第一制御器１８は、劣化度に所定値以上の差があると判定すると（Ｓ１２でＹｅｓ）、入れ替えの期日を決定する（Ｓ１３）。
【００９１】
まず、第一制御器１８は、ステップＳ１１で取得した劣化度に基づいて、複数の蓄電池モジュール２０それぞれの劣化速度を算出する。劣化速度は、図７〜図９に示されるように劣化度の経時変化を示すものであるから、劣化度の算出には、一定期間にわたる劣化度が必要である。そこで、第一制御器１８は、劣化度を定期的に取得し、一定期間にわたる劣化度を第一記憶器１９に記憶しておくとよいが、ステップＳ１１において一定期間にわたる劣化度をまとめて取得してもよい。劣化速度の算出においては、必要に応じて一次近似などの近似計算が行われる。
【００９２】
次に、第一制御器１８は、算出した劣化速度に基づいて、複数の蓄電池モジュール２０それぞれが寿命値に到達するまでの期間を算出し、算出した期間に基づいて第一期間Ｔ１を算出する。図８の例であれば、第一制御器１８は、期間Ｔａ１と期間Ｔａ４とを算出する。そして、第一制御器１８は、上記式（１）に基づいて上記第一期間Ｔ１を算出する。
【００９３】
次に、第一制御器１８は、第一期間Ｔ１の半分が経過する以前のタイミングを入れ替えの期日とした画像を生成し、生成した画像を第一表示器１６に表示させる。つまり、第一表示器１６は、入れ替えの期日を示す画像を表示する（Ｓ１４）。図１１及び図１２は、入れ替えの期日を示す画像の例を示す図である。
【００９４】
複数の蓄電池モジュール２０の接続位置の入れ替えを業者が行うようなときには、図１１に示されるように、設備業者への連絡を促す画像が表示される。また、複数の蓄電池モジュール２０の接続位置の入れ替えを一般ユーザが行うようなときには、図１２に示されるように、複数の蓄電池モジュール２０の入れ替え方法を含む作業手順が表示される。
【００９５】
入れ替えの期日は、第一期間Ｔ１の半分が経過する以前のタイミングであればよく、特に限定されない。第一制御器１８は、例えば、複数の蓄電池モジュール２０間における劣化度の差が大きいほど入れ替えの期日を早いタイミングにしてもよい。なお、ステップＳ１４の表示は、画像に表示される入れ替えの期日よりも前に行われる。
【００９６】
次に、第一制御器１８は、蓄電池モジュール２０の接続位置の入れ替えが完了したことを示す完了情報を受け付けたか否か判定を行う（Ｓ１５）。完了情報が受け付けられていないときには（Ｓ１５でＮｏ）、ステップＳ１５の判定が繰り返される（Ｓ１５）。
【００９７】
蓄電池モジュール２０の接続位置の入れ替えが完了し、接続位置の入れ替えが行われた蓄電池モジュール２０の操作器２７が押下されると、完了情報が第二制御器２２によって送信され、第一制御器１８は、第二制御器２２によって送信された完了情報を受け付ける（Ｓ１５でＹｅｓ）。
【００９８】
そうすると、第一制御器１８は、接続位置の入れ替えが完了したことを示す画像を生成し、生成した画像を第一表示器１６に表示させる。つまり、第一表示器１６は、接続位置の入れ替えが完了したことを示す画像を表示する（Ｓ１６）。図１３は、接続位置の入れ替えが完了したことを示す画像の例を示す図である。
【００９９】
ここで、図１３に示されるように、接続位置の入れ替えが複数回行われるときには、接続位置の入れ替えが完了したことを示す画像に、次の入れ替えの期日が含まれてもよい。つまり、第一制御器１８は、次の入れ替えの期日を示す画像を第一表示器１６に表示させてもよい。
【０１００】
これにより、蓄電システム１０は、次の入れ替えの期日をユーザに通知することができる。なお、次の入れ替えの期日を示す画像は、接続位置の入れ替えが完了したことを示す画像とは別に、接続位置の入れ替えが完了したことを示す画像が表示された後に表示されてもよい。
【０１０１】
以上、蓄電システム１０の動作について説明した。なお、図１０のフローチャートは、一例であり、複数のステップの順序は可能な範囲で入れ替えられてもよいし、一部のステップは省略されてもよい。また、複数のステップが一括して行われてもよいし、複数のステップが並行して行われてもよい。
【０１０２】
［変形例１］
なお、第一制御器１８は、蓄電システム１０内の複数の蓄電池モジュール２０の配置と、複数の蓄電池モジュール２０それぞれの劣化度を示す情報とを第一表示器１６に表示させてもよい。図１４及び図１５は、複数の蓄電池モジュール２０の配置と、複数の蓄電池モジュール２０それぞれの劣化度を示す情報とを含む画像の例を示す図である。
【０１０３】
図１４に示される画像には、複数の蓄電池モジュール２０の配置が示されている。また、図１４に示される画像には、複数の蓄電池モジュール２０それぞれの温度が、劣化度を示す情報として含まれている。このときの温度は、温度センサ２８によって測定された電池ブロック２１の温度であるが、蓄電池モジュール２０の収納場所に温度センサが設けられるようなときには、収納場所の温度であってもよい。
【０１０４】
また、図１５に示される画像には、複数の蓄電池モジュール２０の配置が示されている。また、図１５に示される画像には、複数の蓄電池モジュール２０それぞれのＳＯＨが、劣化度を示す情報として含まれている。
【０１０５】
このように、複数の蓄電池モジュール２０の配置と、複数の蓄電池モジュール２０それぞれの劣化度を示す情報とが表示されることにより、ユーザは、表示された画像を考慮して、自身で入れ替える蓄電池モジュール２０を選択することができる。
【０１０６】
なお、劣化度を示す情報としては、そのほかに、蓄電池モジュール２０の内部抵抗値などが例示され、このような情報は、蓄電池モジュール２０から取得可能である。劣化度を示す情報は、劣化度もしくは劣化速度を直接もしくは間接に示す情報であればどのような情報であってもよく、特に限定されない。
【０１０７】
［変形例２］
上記実施の形態では、図１１〜図１５に示されるような画像は、第一表示器１６に表示された。すなわち、表示装置として蓄電システム１０が制御された。しかしながら、図１１〜図１５に示される画像は、蓄電池モジュール２０の第二表示器２６に表示されてもよい。つまり、表示装置として蓄電池モジュール２０が制御されてもよい。このとき、画像を表示するための処理は、第一制御器１８及び第二制御器２２の一方によって行われてもよいし、第一制御器１８及び第二制御器２２が協働して画像を表示するための処理を行ってもよい。
【０１０８】
また、図１１〜図１５に示されるような各画像は、サーバ装置４０が備える表示器４１に表示されてもよい。つまり、表示装置としてサーバ装置４０が制御されてもよい。このとき、画像を表示するための処理は、第一制御器１８及びサーバ装置４０が備える制御器（不図示）の一方によって行われてもよいし、第一制御器１８及びサーバ装置４０が備える制御器が協働して画像を表示するための処理を行ってもよい。
【０１０９】
また、図１１〜図１５に示されるような画像は、携帯端末５０が備える表示器５１に表示されてもよい。つまり、表示装置として携帯端末５０が制御されてもよい。このとき、画像を表示するための処理は、第一制御器１８、サーバ装置４０が備える制御器、及び、携帯端末５０が備える制御器（不図示）のいずれかによって行われてもよいし、第一制御器１８、サーバ装置４０が備える制御器、及び、携帯端末５０が備える制御器のうち２つ以上の装置が協働して画像を表示するための処理を行ってもよい。
【０１１０】
［効果等］
以上説明したように、第一表示器１６を備える蓄電システム１０の制御方法は、蓄電システム１０に着脱可能に接続された複数の蓄電池モジュール２０であって、劣化度が異なる複数の蓄電池モジュール２０の、接続位置の入れ替えの期日を示す画像を第一表示器１６に表示させるステップ（ａ）を備える。複数の蓄電池モジュール２０の接続位置の入れ替えにより、複数の蓄電池モジュール２０が寿命を示す劣化度に同等のタイミングで到達したときの、複数の蓄電池モジュール２０の使用開始から当該タイミングまでの期間を第一期間Ｔ１とすると、入れ替えの期日は、第一期間Ｔ１の半分が経過する以前のタイミングに設定される。第一表示器１６は、ディスプレイの一例であり、蓄電池モジュール２０は、蓄電池の一例である。
【０１１１】
これにより、複数の蓄電池モジュール２０の寿命のばらつきを抑制することができる。具体的には、劣化度の大きい蓄電池モジュール２０の劣化速度が抑制され、複数の蓄電池モジュール２０が直列接続されているときには、複数の蓄電池モジュール２０がメンテナンスなしで使用可能な期間を延長することができる。また、複数の蓄電池モジュール２０が並列に接続されているときには、複数の蓄電池モジュール２０の交換時期を近づけてメンテナンスを容易にすることができる。
【０１１２】
なお、本開示は、表示装置の制御方法として実現されればよい。上記実施の形態では、表示装置として蓄電システム１０が用いられているが、表示装置は、蓄電池モジュール２０、サーバ装置４０または携帯端末５０であってよい。つまり、表示装置が備えるディスプレイは、第二表示器２６、表示器４１または表示器５１であってもよい。
【０１１３】
また、蓄電システム１０の制御方法は、さらに、第一期間Ｔ１の半分が経過する前のタイミングにおいて複数の蓄電池モジュール２０の接続位置が入れ替えられた後に、次の入れ替えの期日を示す画像を第一表示器１６に表示させるステップ（ｂ）を備えてもよい。次の入れ替えの期日は、接続位置が入れ替えられた複数の蓄電池モジュール２０の劣化度が同等となる以前のタイミングに設定されてもよい。
【０１１４】
このようなタイミングで接続位置の入れ替えが行われれば、当該タイミング以降に接続位置の入れ替えが何度か行われることで、複数の蓄電池モジュール２０を同等のタイミングで寿命値に到達させることが可能となる。
【０１１５】
また、蓄電システム１０の制御方法は、さらに、第一期間Ｔ１の半分が経過する前のタイミングにおいて複数の蓄電池モジュール２０の接続位置が入れ替えられた後に、次の入れ替えの期日を示す画像を第一表示器１６に表示させるステップ（ｂ）を備えてもよい。次の入れ替えの期日は、接続位置が入れ替えられた複数の蓄電池モジュール２０の劣化度が同等となるタイミングから第一期間Ｔ１の終了タイミングまでの期間である第二期間Ｔ２の半分が経過する以前のタイミングに設定されてもよい。
【０１１６】
このようなタイミングで接続位置の入れ替えが行われれば、当該タイミング以降に接続位置の入れ替えが何度か行われることで、複数の蓄電池モジュール２０を同等のタイミングで寿命値に到達させることが可能となる。
【０１１７】
また、蓄電システム１０の制御方法は、さらに、複数の蓄電池モジュール２０の接続位置の入れ替えが完了したことを示す情報を受け付けるステップ（ｃ）を備えてもよい。そして、ステップ（ｂ）は、ステップ（ｃ）の後に実行されてもよい。
【０１１８】
これにより、表示システムの制御方法は、ユーザが複数の蓄電池モジュール２０の接続位置の入れ替えを行った後に、次の入れ替えの期日を示す画像を第一表示器１６に表示させることができる。
【０１１９】
また、入れ替えの期日は、複数の蓄電池モジュール２０間における劣化度の差が大きいほど入れ替えの期日を早いタイミングに設定されてもよい。
【０１２０】
これにより、蓄電システム１０の制御方法は、劣化度の差が大きいほど早い入れ替えの期日を示した画像を表示することができる。
【０１２１】
また、蓄電システム１０の制御方法は、さらに、蓄電システム１０内の複数の蓄電池モジュール２０の配置と、複数の蓄電池モジュール２０それぞれの劣化度を示す情報とを表示するステップ（ｄ）を備えてもよい。
【０１２２】
これにより、ユーザは、表示された画像を考慮して、自身で入れ替える蓄電池モジュール２０を選択することができる。
【０１２３】
また、表示システム１００は、蓄電システム１０に着脱可能に接続された複数の蓄電池モジュール２０であって、劣化度が異なる複数の蓄電池モジュール２０の、接続位置の入れ替えの期日を保持する第一記憶器１９を備える。また、表示システム１００は、第一表示器１６と、第一記憶器１９に保持された入れ替えの期日を示す画像を第一表示器１６に表示させる第一制御器１８とを備える。複数の蓄電池モジュール２０の接続位置の入れ替えにより、複数の蓄電池モジュール２０が寿命を示す劣化度に同等のタイミングで到達するとしたときの、複数の蓄電池モジュール２０の使用開始から当該タイミングまでの期間を第一期間とすると、入れ替えの期日は、第一期間Ｔ１の半分が経過する以前のタイミングに設定される。第一表示器１６は、ディスプレイの一例である。ディスプレイは、第二表示器２６、表示器４１または表示器５１であってもよい。蓄電池モジュール２０は、蓄電池の一例である。第一記憶器１９は、記憶器の一例である。記憶器は、第二記憶器２３、サーバ装置４０が有する記憶器（不図示）、または携帯端末５０が有する記憶器（不図示）であってもよい。
【０１２４】
これにより、上記表示システム１００の制御方法と同様の効果が得られる。
【０１２５】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【０１２６】
例えば、表示器には、上記図３の配置において、Ｂ列に属する複数の蓄電池モジュール２０と、Ｃ列に属する複数の蓄電池モジュール２０とを入れ替える指示が表示されてもよい。つまり、並列接続された蓄電池モジュール列を、列ごとに入れ替える指示が表示されてもよい。
【０１２７】
また、入れ替えの対象となる２つの蓄電池モジュール２０の選択方法は、特に限定されない。例えば、直列接続された４つの蓄電池モジュール２０の中で、最も劣化度の大きい蓄電池モジュール２０と、最も劣化度の小さい蓄電池モジュール２０とが特定され、特定された２つの蓄電池モジュール２０が入れ替えの対象として選択されてもよい。同様に、例えば、直列接続された４つの蓄電池モジュール２０の中で、劣化度が２番目に大きい蓄電池モジュール２０と、劣化度が３番目に大きい蓄電池モジュール２０とが特定され、特定された２つの蓄電池モジュール２０が入れ替えの対象として選択されてもよい。また、例えば、蓄電システム１０に接続された全ての蓄電池モジュール２０の中で、最も劣化度の大きい蓄電池モジュール２０と、最も劣化度の小さい蓄電池モジュール２０とが特定され、特定された２つの蓄電池モジュール２０が入れ替えの対象として選択されてもよい。
【０１２８】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１２９】
以上、本開示の一つまたは複数の態様に係る表示装置の制御方法及び表示システムについて、実施の形態に基づいて説明したが、本発明は、この実施の形態に限定されるものではない。本発明の趣旨を逸脱しない限り、当業者が思いつく各種変形を本実施の形態に施したもの、及び、異なる実施の形態における構成要素を組み合わせて構築される形態も、本発明の一つまたは複数の態様の範囲内に含まれてもよい。
【産業上の利用可能性】
【０１３０】
本開示は、複数の蓄電池を備える蓄電システムにおいて、複数の蓄電池の寿命のばらつきを抑制することができる表示装置の制御方法などとして有用である。
【符号の説明】
【０１３１】
１０  蓄電システム
１１  外装体
１２  外装体本体
１３  扉
１４  電源器
１５  第一端子部
１５ａ  第一電力用端子
１５ｂ  第一通信用端子
１６  第一表示器
１７  通信器
１８  第一制御器
１９  第一記憶器
２０  蓄電池モジュール
２１  電池ブロック
２１ａ  単電池
２２  第二制御器
２３  第二記憶器
２４  保護回路
２５  第二端子部
２５ａ  第二電力用端子
２５ｂ  第二通信用端子
２６  第二表示器
２７  操作器
２８  温度センサ
３０  通信装置
４０  サーバ装置
４１、５１  表示器
５０  携帯端末
６０  電力系統
７０  インターネット
１００  表示システム
【図１】
0006504544.tif 000002
【図２】
0006504544.tif 000003
【図３】
0006504544.tif 000004
【図４】
0006504544.tif 000005
【図５】
0006504544.tif 000006
【図６】
0006504544.tif 000007
【図７】
0006504544.tif 000008
【図８】
0006504544.tif 000009
【図９】
0006504544.tif 000010
【図１０】
0006504544.tif 000011
【図１１】
0006504544.tif 000012
【図１２】
0006504544.tif 000013
【図１３】
0006504544.tif 000014
【図１４】
0006504544.tif 000015
【図１５】
0006504544.tif 000016